(57)【要約】【課題】撮影画像データの付属情報として記録される撮影情報の修正、追加を簡単に行うことができるデジタルカメラを提供する。【解決手段】デジタルカメラ１００は、通常の撮影モードだけでなく、撮影対象に関する情報を含む撮影情報を、撮影画像データと関連付けて記録する撮影情報記録モードを有する。記録すべき撮影情報が決定されると、その内容が、無線Ｉ／Ｆ３３、アンテナ３４を介して外部に送信され、外部機器のユーザインタフェースにより、修正される。修正された撮影画像は、再度アンテナを介して入力され、更新される。画像データの記録時には、その撮影画像を含む画像ファイルに付属情報として記録される。【選択図】図１
2004015201.tif 000002
【特許請求の範囲】
【請求項１】
撮影対象に関する情報を含む撮影情報を、撮影画像データと関連付けて記録する撮影情報記録モードを有するデジタルカメラであって、
前記撮影情報を記憶する撮影情報記憶部と、
外部携帯端末と有線又は無線により通信を行う通信部と、
前記撮影情報記録モード時の撮影制御を含む撮影制御を行う撮影制御部と、
前記撮影情報の管理を行う撮影情報管理部を有し、
前記撮影情報管理部は、前記撮影情報記録モード時には、前記撮影情報記憶部に記憶された撮影情報の内の選択された撮影情報を前記通信部を介して前記携帯端末に送信し、前記携帯端末から前記撮影情報を受信したときは、前記撮影情報記憶部の前記撮影情報を更新するものであり、
前記撮影制御部は、前記撮影情報記録モード時には、撮影画像データの記録に際して、前記選択された撮影情報を前記撮影情報記憶部から読み出して、前記撮影画像データと関連付けて記憶するものであるデジタルカメラ。
【請求項２】
請求項１記載のデジタルカメラであって、
前記撮影情報は、前記撮影画像データを含む画像ファイルの付属情報として記録されるものであるデジタルカメラ。
【請求項３】
請求項１又は２記載のデジタルカメラを利用する撮影システムであって、
前記通信部を介して接続される携帯端末を有し、
前記携帯端末は、表示部と、操作部と、撮影情報変更制御部とを含み、
前記撮影情報変更制御部は、前記デジタルカメラから受信した撮影情報を前記表示部に表示させ、追加修正された前記撮影情報を前記デジタルカメラに送信するものであり、
前記追加修正には、前記操作部の操作による追加修正を含むものである撮影システム。
【発明の詳細な説明】
【０００１】
【発明の属する技術分野】
本発明は、撮影対象に関する情報を含む撮影情報を、撮影画像データと関連付けて記録する撮影情報記録モードを有するデジタルカメラ及びそのようなデジタルカメラを利用する撮影システムに関する。
【０００２】
【従来の技術】
工事現場や製造工場等での作業状況を写真撮影して記録する場合、予め撮影すべきシーン等の撮影すべき画像に関するデータが予め定められており、ユーザは、このような撮影ガイドデータに基づいて撮影を行っている。また、撮影画像は、撮影シーンに関するデータだけでなく、撮影日時情報、絞り、シャッタースピード等の撮影条件とともに管理される。
【０００３】
デジタルカメラは、撮影した画像データを記録する際、画像データ付属情報を含む画像ファイルの形式で記録するのが普通であり、付属情報としては、撮影日時情報、絞り、シャッタースピード等の撮影条件だけでなく、撮影時のユーザメモ等が記録可能である。したがって、作業状況の画像記録にデジタルカメラを用いると、撮影画像の記録、管理を簡単に行うことができる。
【０００４】
デジタルカメラを作業状況の画像記録に用いる技術としては、特開２００１−２４９８２公報に記載された「作業記録向けデジタルカメラシステム」がある。このカメラシステムは、撮影すべき個々の画像に関する情報（撮影対象、シーン、撮影対象の書誌事項等を含む撮影情報）を、画像データベース管理用のコンピュータで作成し、作成した撮影情報をデジタルカメラに送信記憶させ、撮影した画像データと撮影情報を関連付けて記録し、さらに撮影した画像データと撮影情報をコンピュータに送信して、管理するものである。撮影情報は、その日に撮影しなければならない画像について作成されるので、撮影情報にしたがって撮影を行い、撮影済の撮影情報と撮影前の撮影情報とを識別する情報を管理することにより、撮影モレの防止を図ることもできる。
【０００５】
デジタルカメラに送信記憶した撮影情報は、撮影すべき個々の画像毎にデジタルカメラの表示部に表示させて確認することができ、また、デジタルカメラの入力手段を利用して修正したり、未入力の項目を追加入力したりすることが可能となっている。しかし、デジタルカメラのユーザインタフェースは、単純なものであり、撮影画像情報等の修正等の複雑な入力操作は、簡単に行えない。また、撮影地点の経緯度情報、外気温等の環境パラメータ等を合わせて記録するためには、ＧＰＳ装置、各種センサが必要であり、それらをデジタルカメラに設けるのはコストアップにつながり、好ましくない。
【０００６】
【発明が解決しようとする課題】
本発明は、上記事情に鑑みなされたもので、撮影画像データの付属情報として記録される撮影情報の修正、追加を簡単に行うことができるデジタルカメラ及びそのようなデジタルカメラを利用した撮影システムを提供することを目的とするものである。
【０００７】
【課題を解決するための手段】
本発明のデジタルカメラは、撮影対象に関する情報を含む撮影情報を、撮影画像データと関連付けて記録する撮影情報記録モードを有するデジタルカメラであって、前記撮影情報を記憶する撮影情報記憶部と、外部携帯端末と有線又は無線により通信を行う通信部と、前記撮影情報記録モード時の撮影制御を含む撮影制御を行う撮影制御部と、前記撮影情報の管理を行う撮影情報管理部を有し、前記撮影情報管理部は、前記撮影情報記録モード時には、前記撮影情報記憶部に記憶された撮影情報の内の選択された撮影情報を前記通信部を介して前記携帯端末に送信し、前記携帯端末から前記撮影情報を受信したときは、前記撮影情報記憶部の前記撮影情報を更新するものであり、前記撮影制御部は、前記撮影情報記録モード時には、撮影画像データの記録に際して、前記選択された撮影情報を前記撮影情報記憶部から読み出して、前記撮影画像データと関連付けて記憶するものである。
【０００８】
本発明のデジタルカメラにおける前記撮影情報は、前記撮影画像データを含む画像ファイルの付属情報として記録されるものである。
【０００９】
本発明の撮影システムは、上記したデジタルカメラを利用する撮影システムであって、前記通信部を介して接続される携帯端末を有し、前記携帯端末は、表示部と、操作部と、撮影情報変更制御部とを含み、前記撮影情報変更制御部は、前記デジタルカメラから受信した撮影情報を前記表示部に表示させ、追加修正された前記撮影情報を前記デジタルカメラに送信するものであり、前記追加修正には、前記操作部の操作による追加修正を含むものである。
【００１０】
【発明の実施の形態】
以下、本発明の実施の形態について、図面を用いて説明する。図１は、本発明の実施の形態のデジタルカメラの概略構成を示す図である。
【００１１】
図１のデジタルカメラ１００は、撮像部１１、信号処理部部１２、Ａ／Ｄ変換部１３によって、デジタル撮影画像信号を得るものである。また、ストロボ制御部１４によってストロボ１５を発光させ、ストロボ撮影も可能である。デジタル撮影画像信号は、圧縮／伸張部１６によって圧縮処理が施され、メモリカードスロット１８に装着されたメモリカード１９にカードインタフェース１７を介して記録する。メモリカード１９への記録は、圧縮された画像データと付属情報を含む画像ファイル単位で行われる。
【００１２】
メモリカード１９に記録された画像データに基づく画像を表示する場合は、メモリカード１９から読み出した画像データに対して、圧縮／伸張部１６で伸張処理を施し、フレームメモリ２１に書き込む。ＬＣＤ（液晶ディスプレイ）制御部２２は、フレームメモリ２１のデータに応じた画像をＬＣＤ２３に表示させる。ＬＣＤ２３は、メモリカード１９の画像データに基づく画像だけでなく、Ａ／Ｄ変換部１３から得られるデジタル撮像信号に基づく画像を表示することもできる。また、デジタルカメラ１００の各種状態の表示、操作メニューの表示等にも利用される。
【００１３】
入出力インタフェース３１は、スイッチ／ＬＥＤ３２に接続され、デジタルカメラ１００の各種操作スイッチを入力するとともに、デジタルカメラ１００の状態表示用のＬＥＤに対する信号を出力するものである。無線インタフェース３３は、アンテナ３４と介して外部との短距離無線通信を行うものである。短距離無線通信としては、Ｂｌｕｅｔｏｏｔｈ、ＩｒＤＡ方式の赤外線データ通信、無線ＬＡＮ等が利用できる。なお、外部機器との通信は、有線通信手段を利用するものでもよい。
【００１４】
制御部４１は、デジタルカメラ１００全体の動作を制御するもので、所定のプログラムによって動作するプロセッサを主体に構成される。制御部４１は、撮影動作、画像記録動作、画像表示動作を制御するだけでなく、後述する撮影情報の記録管理も行う。システムメモリ４２、不揮発性メモリ４３は、デジタルカメラ１００内での各種処理に利用されるデータ、プログラムを記憶したり、作業用メモリとして利用されるものであり、タイマ４４、時計４５は、撮影タイミングの制御、撮影情報の記録管理等に利用される。システムバス５０は、デジタルカメラ１００の各要素間のデータを転送するものである。
【００１５】
以上のような要素を有するデジタルカメラ１００の通常の撮影動作、画像記録動作、画像表示動作は、従来のものと基本的に差異がないので説明を省略する。
【００１６】
このデジタルカメラ１００は、通常の撮影モードだけでなく、撮影対象に関する情報を含む撮影情報を、撮影画像データと関連付けて記録する撮影情報記録モードを有する。撮影情報の項目は、撮影対象を特定するシーン名称の他、撮影地点の外気温情報、撮影日時、画像ファイル名、撮影地点の経緯度情報等の項目を利用者の要求に応じて適宜設定する。撮影情報は、パーソナルコンピュータ等で作成し、予めデジタルカメラ１００に記憶させておく。デジタルカメラ１００への入力は、メモリカード１９を利用してもよいし、近距離無線通信を利用してもよい。撮影情報の入力にメモリカード１９を利用する場合は、そのまま画像ファイルの記録に利用される。
【００１７】
図２に、撮影情報の項目リストの一例を示す。各項目には、項目の値とともに、画像ファイル中の記録先タグ名とその記録フォーマット種別が記述される。図２の例は、「シーン名称」の項目には「基礎コンクリートＡ」等値が入力された状態を示している。外気温情報、撮影日時、画像ファイル名は、撮影時にデジタルカメラ１００で自動的に生成された値、又は利用者が撮影時に手動で入力するので空欄となっている。撮影情報は、撮影すべき画像毎に作成され、撮影情報リストファイルとしてデジタルカメラ１００に入力される。図３に、入力される撮影情報リストファイルの一部を示す。
【００１８】
デジタルカメラ１００に入力され、記憶された撮影情報は、撮影時に参照され、撮影対象の特定に利用される。スイッチ等の操作により、撮影情報記録モードに設定されると、制御部４１は、記憶された撮影情報を参照し、図４に示すようにＬＣＤ２３に撮影対象を表示させて利用者の選択を促す。選択はカーソル４０１の移動によって行い、決定されると、決定された撮影情報の内容が、撮影画像の記録時にその撮影画像を含む画像ファイルに付属情報として記録される。撮影情報は、撮影順序に合わせて撮影対象を特定されるような順序のファイルとして作成され、撮影済画像の撮影情報は表示させないようにするのが好ましい。また、モード切換え後の初期状態のカーソルの位置は、撮影順序が最先の撮影対象を指すようにするのが好ましい。
【００１９】
撮影情報は、外部の機器の操作により変更が可能である。撮影情報の変更は、選択された撮影情報を無線通信を利用してＰＤＡ等の外部機器に送信し、変更された撮影情報を受信し、受信した撮影情報によって記憶された撮影情報を更新することによって行う。撮影情報の変更は、値が未入力の項目の値の入力、入力済値の修正、新規項目の追加だけでなく、新規項目の作成入力も可能である。
【００２０】
図５に、ＰＤＡを用いて撮影情報の変更を行う撮影システムの一例の概略構成を示す。図５のＰＤＡ２００は、ＰＤＡ２００全体の動作を制御する制御部３４１、システムメモリ２４２、不揮発性メモリ２４３、タイマ２４、時計２４５、入出力インタフェース２３１、操作部２３２、送受信回路２３３、アンテナ２３４、ＧＰＳインタフェース２３５、ＧＰＳモジュール２３６、カードインタフェース２１１、メモリカードスロット２１２、メモリカード２１３、フレームメモリ２２１、ＬＣＤ制御部２２２、ＬＣＤ２２３、システムバス５００を含んで構成される。
【００２１】
プロセッサで構成される制御部２４１は、各種プログラムに応じたＰＤＡ２００の動作を制御するものである。ＰＤＡ２００は、デジタルカメラ１００と通信可能とするために、送受信回路２３３及びアンテナ２３４が設けられ、ＧＰＳモジュールが設けられることを除いて、周知の構成を有するものであるので、詳細な機能の記載は省略する。
【００２２】
ＰＤＡ２００は、デジタルカメラ１００から短距離無線通信を利用して受信した撮影情報の内容を表示させて、撮影情報の変更を待つ、撮影情報の変更は、操作部２３２の操作によって行われ、変更された撮影情報をデジタルカメラ１００に送信する。また、撮影情報に経緯度情報が付加される場合は、ＧＰＳモジュール２３６で取得した経緯度情報を撮影情報に追加する。ＰＤＡ２００からデジタルカメラ１００への送信は、ＰＤＡ２００の操作部２３２による送信指示によって行われるが、撮影情報の受信後一定時間送信指示がない場合は、自動的に送信するようにしてもよい。
【００２３】
次に、図５の撮影システムを利用して、撮影情報記録モードで撮影を行う場合の動作を説明する。図６に、デジタルカメラ１００の撮影動作の概略フローを示し、図７にＰＤＡ２００の概略動作フローを示す。
【００２４】
デジタルカメラ１００には、メモリカード１９を介して図３に示すような撮影情報が入力されているものとする。このようなデジタルカメラ１００の撮影モードを撮影情報記録モードに設定すると、ステップ６０１で記録された撮影情報のリストを表示する。撮影情報のリスト表示は、撮影情報の項目全てを表示する必要はなく、図４に示すように、少なくとも撮影シーンが含まれていれば他の項目は省略してもよい。
【００２５】
利用者による撮影情報（撮影シーン）の選択がある（ステップ６０２）と、ステップ６０３でＰＤＡ２００との接続を行い、ＰＤＡ２００との接続が可能かどうかを判断する（ステップ６０４）。接続可能であった場合は、ステップ６０５で選択された撮影情報をＰＤＡ２００に送信し、ステップ６０６で、ＰＤＡ２００からの撮影情報の受信を待つ。そして、ＰＤＡ２００から撮影情報を受信すると、ステップ６０７で撮影情報を更新する。
【００２６】
ステップ６０４でＰＤＡ２００との接続が不可であった場合でも、撮影自体は可能であり、ステップ６０８で撮影がされると、ステップ６０９で撮影画像データと撮影情報を記録する。そして、ステップ６１０で撮影終了かどうかを判断し、終了でない場合は、ステップ６０１に戻って同様の処理を繰り返す。
【００２７】
ＰＤＡ２００は、デジタルカメラ１００からの接続要求を受信すると、ステップ７０１で接続処理を行う。接続が確立すると、ステップ７０２で撮影情報を受信し、受信した撮影情報を表示する。次いで、ステップ７０３でＧＰＳ情報を取得し、受信した撮影情報に追加する。図３に示す撮影情報リストファイルのシーン名称「基礎コンクリートＢ」の撮影情報を受信し、ＧＰＳ情報を追加した状態におけるＰＤＡ２００の表示例を、図８に示す。
【００２８】
次いで、ステップ７０４で撮影情報の修正が行われ、ステップ７０５で修正された撮影情報をデジタルカメラ１００に送信して処理を終了する。
【００２９】
図９に、デジタルカメラ１００における更新された撮影情報の一例を示す。この例は、シーン名称「基礎コンクリートＢ」の撮影情報に、ＧＰＳ情報に基づく経緯度情報が付加され、外気温が手動入力により追加入力された場合の例である。また、図１０に、更新されたシーン名称「基礎コンクリートＢ」の撮影情報が付属情報として付加された画像ファイルのフォーマットを示す。
【００３０】
【発明の効果】
以上の説明から明らかなように、本発明によれば、撮影画像データの付属情報として記録される撮影情報の修正、追加を簡単に行うことができる。
【図面の簡単な説明】
【図１】本発明の実施の形態のデジタルカメラの概略構成を示す図
【図２】撮影情報の項目リストの一例を示す図
【図３】入力される撮影情報リストファイルの一部を示す図
【図４】撮影情報の選択画面の一例を示す図
【図５】本発明の実施の形態の撮影システムの概略構成を示す図
【図６】撮影情報記録モード時のデジタルカメラの概略動作フローを示す図
【図７】撮影情報記録モード時のＰＤＡの概略動作フローを示す図
【図８】ＰＤＡの表示例を示す図
【図９】修正された撮影情報リストファイルの一部を示す図
【図１０】撮影情報が付属情報として付加された画像ファイルのフォーマットの一例を示す図
【符号の説明】
１００・・・デジタルカメラ
２００・・・ＰＤＡ
１１・・・撮像部
１２・・・信号処理部部
１３・・・Ａ／Ｄ変換部
１４・・・ストロボ制御部
１５・・・ストロボ
１６・・・圧縮／伸張部
１７、２１１・・・カードインタフェース
１８、２１２・・・メモリカードスロット
１９、２１３・・・メモリカード
２１、２２１・・・フレームメモリ
２２、２２２・・・ＬＣＤ制御部
２３、２２３・・・ＬＣＤ
３１、２３１・・・入出力インタフェース
３２・・・スイッチ／ＬＥＤ
３３・・・無線インタフェース
３４、２３４・・・アンテナ
４１、２４１・・・制御部
４２、２４２・・・システムメモリ
４３、２４３・・・不揮発性メモリ
４４、２４４・・・タイマ
４５、２４５・・・時計
５０、５００・・・システムバス
２３２・・・操作部
２３５・・・ＧＰＳインタフェース
２３６・・・ＧＰＳモジュール
【図１】
2004015201.tif 000003
【図２】
2004015201.tif 000004
【図３】
2004015201.tif 000005
【図４】
2004015201.tif 000006
【図５】
2004015201.tif 000007
【図６】
2004015201.tif 000008
【図７】
2004015201.tif 000009
【図８】
2004015201.tif 000010
【図９】
2004015201.tif 000011
【図１０】
2004015201.tif 000012